(57)【要約】【課題】  人を載せたままでも、エレベータ等の狭い空間に収容することができる回動式ストレッチャーを提供する。【解決手段】  人を載置する寝台部２１を備えた寝台フレーム２と、寝台フレーム２を略水平状態に支持して搬送する水平搬送位置と、寝台フレーム２を傾斜させた状態に支持して搬送する傾斜搬送位置とに着脱可能であって、寝台フレーム２とともに回動可能な回動フレーム３と、回動フレーム３を回動自在に支持する回動支持軸４１および少なくとも４つの移動用車輪４２を備えた基台フレーム４と、を有する。【選択図】  図２
2016129598.tif 000002
【特許請求の範囲】
【請求項１】
人を載置する寝台部を備えた寝台フレームと、
前記寝台フレームを略水平状態に支持して搬送する水平搬送位置と、前記寝台フレームを傾斜させた状態に支持して搬送する傾斜搬送位置とに着脱可能であって、前記寝台フレームとともに回動可能な回動フレームと、
前記回動フレームを回動自在に支持する回動支持軸および少なくとも４つの移動用車輪を備えた基台フレームと、
を有する、回動式ストレッチャー。
【請求項２】
前記寝台フレームの下面には、頭部側に設けられた上部フレームと、脚部側に設けられた下部フレームとを有し、
前記回動フレームの上面には、前記水平搬送位置において前記上部フレームを掛止する上部フックと、前記水平搬送位置において前記下部フレームを掛止する下部フックと、前記上部フックよりも頭部側に設けられているとともに前記傾斜搬送位置において前記上部フレームを掛止する傾斜用フックとを有している、請求項１に記載の回動式ストレッチャー。
【請求項３】
前記上部フレームには、脚部側に向けて鉤爪が設けられ、
前記上部フックには、前記鉤爪を挿通させる挿通スリットが設けられ、
前記回動フレームに回動自在に設けられたロックレバーと、前記ロックレバーの基端部よりも把持部側に回動自在に設けられた補助フレームと、前記補助フレームの長手方向に対してスライド可能に設けられて前記鉤爪を係脱可能な掛止リングと、前記掛止リングを脚部側へ引っ張る弾性部材とを有している、請求項２に記載の回動式ストレッチャー。
【請求項４】
前記回動フレームの左右端部に設けられ、外方に突出する方向の付勢力を付与された一対の係止ピンと、これら各係止ピンを内方へ引っ張る係止解除レバーとを有し、
前記水平搬送位置では、前記各係止ピンが、基台フレームに設けられた係止孔に差し込まれている、請求項１から請求項３のいずれかに記載の回動式ストレッチャー。
【請求項５】
前記傾斜搬送位置において、前記回動フレームの脚部側に設けられた第１挿通筒と、基台フレームの下方に設けられた第２挿通筒とを連通する傾斜ロックピンを有している、請求項１から請求項４のいずれかに記載の回動式ストレッチャー。
【請求項６】
前記寝台部に載置される人の下腹部に着用される固定用胴衣と、前記固定用胴衣を前記寝台フレームの頭部側から吊り下げる吊り下げベルトとを有している、請求項１から請求項５のいずれかに記載の回動式ストレッチャー。
【発明の詳細な説明】
【技術分野】
【０００１】
本発明は、患者や被介護者等の人を載せたままでも、エレベータ等の狭い空間に収容可能な回動式ストレッチャーに関するものである。
【背景技術】
【０００２】
従来、患者や被介護者等を搬送するためのストレッチャーとして、例えば、特開２００２−６６２号公報には、キャスター付き基台上部が、下半身を載せる水平基台枠と、水平状態から略直立状態にまで揺動可能な上半身を載せる可変台枠とで形成される移動式ストレッチャーが提案されている（特許文献１）。
【先行技術文献】
【特許文献】
【０００３】
【特許文献１】特開２００２−６６２号公報
【発明の概要】
【発明が解決しようとする課題】
【０００４】
しかしながら、特許文献１に記載された発明を含め、従来のストレッチャーは、上半身側のフレームが立ち上げ可能に構成されているに過ぎず、下半身側のフレームはそのままである。このため、ホームエレベータやトランクのないエレベータ等のように、収容スペースが限られた狭い空間には、患者等を載せたままのストレッチャーを収容することができないという問題がある。
【０００５】
本発明は、このような問題点を解決するためになされたものであって、人を載せたままでも、エレベータ等の狭い空間に収容することができる回動式ストレッチャーを提供することを目的としている。
【課題を解決するための手段】
【０００６】
本発明に係る回動式ストレッチャーは、人を載置する寝台部を備えた寝台フレームと、前記寝台フレームを略水平状態に支持して搬送する水平搬送位置と、前記寝台フレームを傾斜させた状態に支持して搬送する傾斜搬送位置とに着脱可能であって、前記寝台フレームとともに回動可能な回動フレームと、前記回動フレームを回動自在に支持する回動支持軸および少なくとも４つの移動用車輪を備えた基台フレームと、を有する。
【０００７】
また、本発明の一態様として、前記寝台フレームの下面には、頭部側に設けられた上部フレームと、脚部側に設けられた下部フレームとを有し、前記回動フレームの上面には、前記水平搬送位置において前記上部フレームを掛止する上部フックと、前記水平搬送位置において前記下部フレームを掛止する下部フックと、前記上部フックよりも頭部側に設けられているとともに前記傾斜搬送位置において前記上部フレームを掛止する傾斜用フックとを有していてもよい。
【０００８】
さらに、本発明の一態様として、前記上部フレームには、脚部側に向けて鉤爪が設けられ、前記上部フックには、前記鉤爪を挿通させる挿通スリットが設けられ、前記回動フレームに回動自在に設けられたロックレバーと、前記ロックレバーの基端部よりも把持部側に回動自在に設けられた補助フレームと、前記補助フレームの長手方向に対してスライド可能に設けられて前記鉤爪を係脱可能な掛止リングと、前記掛止リングを脚部側へ引っ張る弾性部材とを有していてもよい。
【０００９】
また、本発明の一態様として、前記回動フレームの左右端部に設けられ、外方に突出する方向の付勢力を付与された一対の係止ピンと、これら各係止ピンを内方へ引っ張る係止解除レバーとを有し、前記水平搬送位置では、前記各係止ピンが、基台フレームに設けられた係止孔に差し込まれていてもよい。
【００１０】
さらに、本発明の一態様として、前記傾斜搬送位置において、前記回動フレームの脚部側に設けられた第１挿通筒と、基台フレームの下方に設けられた第２挿通筒とを連通する傾斜ロックピンを有していてもよい。
【００１１】
また、本発明の一態様として、前記寝台部に載置される人の下腹部に着用される固定用胴衣と、前記固定用胴衣を前記寝台フレームの頭部側から吊り下げる吊り下げベルトとを有していてもよい。
【発明の効果】
【００１２】
本発明に係る回動式ストレッチャーによれば、人を載せたままでも、エレベータ等の狭い空間に収容することができる。
【図面の簡単な説明】
【００１３】
【図１】本発明に係る回動式ストレッチャーであって、水平搬送位置にセットされた状態の一実施形態を示す斜視図である。
【図２】本実施形態において、傾斜搬送位置にセットされた回動式ストレッチャーを示す斜視図である。
【図３】本実施形態において、脱落防止フレームを倒した状態を示す斜視図である。
【図４】本実施形態のフレームロック機構を示す拡大図であって、（ａ）ロックレバーを頭部側に揺動させた状態、（ｂ）ロックレバーを脚部側に揺動させた状態である。
【図５】本実施形態の回動式ストレッチャーを脚部側から見た側面図である。
【図６】本実施形態の水平ロック機構を解除した状態を示す側面図である。
【図７】本実施形態の傾斜ロック機構であって、（ａ）第１挿通筒と第２挿通筒を連通させた状態、（ｂ）第１挿通筒および第２挿通筒に傾斜ロックピンを挿通した状態である。
【図８】本実施形態において、寝台フレームを取り外した状態の回動式ストレッチャーを示す側面図である。
【図９】本実施形態において、水平搬送時の回動式ストレッチャーを示す側面図である。
【図１０】本実施形態において、寝台フレームを傾斜搬送位置にセットした回動式ストレッチャーを示す側面図である。
【図１１】本実施形態において、傾斜搬送時の回動式ストレッチャーを示す側面図である。
【発明を実施するための形態】
【００１４】
以下、本発明に係る回動式ストレッチャーの一実施形態について図面を用いて説明する。
【００１５】
本実施形態の回動式ストレッチャー１は、図１および図２に示すように、主として、人を載置可能な寝台フレーム２と、この寝台フレーム２とともに回動可能な回動フレーム３と、この回動フレーム３を回動自在に支持する基台フレーム４とから構成されている。以下、各構成について説明する。
【００１６】
寝台フレーム２は、人を載置するためのものであり、人を載置する寝台部２１を有している。本実施形態において、寝台部２１はマット等により構成されており、頭部側には枕２１ａを有し、脚部側には足台２１ｂを有している。足台２１ｂは、寝台フレーム２の長手方向に沿ってスライド可能に設けられており、載置される人の身長に合わせて取り付け位置を調整しうるようになっている。
【００１７】
また、寝台フレーム２には、図１および図２に示すように、後述する傾斜搬送時における身体的負担を軽減するとともに安全性を確保するためのものとして、人の下腹部に着用される固定用胴衣２２と、この固定用胴衣２２を寝台フレーム２の頭部側から吊り下げる吊り下げベルト２３とが設けられている。また、別途、胴部や脚部を固定するための固定ベルト２４を備えている。吊り下げベルト２３や固定ベルト２４は、引張り強さに優れたポリエステル繊維等によって形成されている。
【００１８】
さらに、本実施形態において、寝台フレーム２の両サイドには、人の落下を防止するための脱落防止フレーム２５が設けられている。脱落防止フレーム２５は、図３に示すように、係止金具２６を解除すると外方へ倒せるようになっており、人を載せる際や降ろす際には邪魔にならない。なお、本発明において、寝台部２１に載置される人は、怪我人、病人、被介護人等の生きている人の他、遺体や棺に収容された遺体等のように亡くなった人を含む概念である。
【００１９】
つぎに、回動フレーム３は、寝台フレーム２を回動させるためのものである。本実施形態において、回動フレーム３は略矩形状に形成されており、基台フレーム４に設けられた回転支持軸４１によって回動可能に支持されている。また、回動フレーム３は、図１に示すように、寝台フレーム２を略水平状態に支持して搬送する水平搬送位置と、図２に示すように、寝台フレーム２を傾斜させた状態に支持して搬送する傾斜搬送位置とに着脱可能に構成されている。
【００２０】
具体的には、図１および図２に示すように、寝台フレーム２の下面には、頭部側に設けられた上部フレーム２７と、脚部側に設けられた下部フレーム２８とを有している。一方、回動フレーム３の上面には、水平搬送位置において上部フレーム２７を掛止する上部フック３１と、水平搬送位置において下部フレーム２８を掛止する下部フック３２と、上部フック３１よりも頭部側に設けられているとともに傾斜搬送位置において上部フレーム２７を掛止する傾斜用フック３３とが設けられている。
【００２１】
以上の構成により、略水平状態に支持された回動フレーム３の上部フック３１および下部フック３２のそれぞれに、寝台フレーム２の上部フレーム２７および下部フレーム２８を掛止させることにより、図１および図９に示すような水平搬送状態にセットされる。一方、傾斜させた回動フレーム３の傾斜用フック３３に、寝台フレーム２の上部フレーム２７を掛止させることにより、図２および図１１に示すような傾斜搬送状態にセットされる。
【００２２】
なお、本実施形態において、上部フレーム２７および下部フレーム２８は円筒状に形成されており、寝台フレーム２の左右端部に架け渡されている。また、上部フック３１、下部フック３２および傾斜用フック３３は略Ｊ字状に形成されており、回動フレーム３の左右端部の左右対称位置に一対ずつ設けられている。そして、上部フレーム２７と下部フレーム２８の間隔と、上部フック３１と下部フック３２の間隔とが一致されている。また、傾斜用フック３３は、傾斜搬送位置にセットされた寝台フレーム２を傾斜させたときに、下端部が接地しない位置に設けられている。
【００２３】
また、本実施形態では、水平搬送位置にセットされた寝台フレーム２を回動フレーム３に固定するためのフレームロック機構５を有している。具体的には、図１および図４に示すように、上部フレーム２７の左右端部には、脚部側に向けて鉤爪５１が設けられている。また、左右の各上部フック３１には、鉤爪５１を挿通させる挿通スリット５２が設けられている。このため、水平搬送位置では、各鉤爪５１が各挿通スリット５２を挿通されて脚部側へ突出した状態となる。
【００２４】
また、フレームロック機構５は、図４に示すように、回動フレーム３に回動自在に設けられたロックレバー５３と、ロックレバー５３の基端部よりも把持部側に回動自在に設けられた補助フレーム５４と、補助フレーム５４の長手方向に対してスライド可能に設けられて鉤爪５１を係脱可能な掛止リング５５と、掛止リング５５を脚部側へ引っ張る弾性部材５６とを有している。本実施形態において、弾性部材５６としては圧縮バネが採用されている。
【００２５】
以上の構成において、ロックレバー５３を頭部側に揺動させたときの掛止リング５５は、図４（ａ）に示すように、挿通スリット５２から突出された鉤爪５１に届くようになっている。一方、ロックレバー５３を脚部側に揺動させたときの掛止リング５５は、図４（ｂ）に示すように、鉤爪５１よりも脚部側へ移動するようになっている。このため、鉤爪５１に掛止リング５５を引っかけた状態でロックレバー５３を脚部側に揺動させると、弾性部材５６が圧縮された状態で固定され、寝台フレーム２の位置ずれが防止される。
【００２６】
また、本実施形態では、略水平状態で回動フレーム３を固定するための水平ロック機構６を有している。具体的には、水平ロック機構６は、図５および図６に示すように、回動フレーム３の脚部側の下面に設けられており、一対の係止ピン６１，６１と、係止解除レバー６２とを有している。
【００２７】
各係止ピン６１は、図５および図６に示すように、略Ｌ字状に形成されており、回動フレーム３の左右端部に設けられている。また、各係止ピン６１は、図示しない圧縮バネ等によって外方に突出する方向の付勢力が付与されている。一方、係止解除レバー６２は、図５および図６に示すように、回動フレーム３の下面に設けられた揺動軸６３周りに揺動自在に設けられている。そして、各係止ピン６１に連結された引っ張り紐６４の端部が、揺動軸６３の上下位置にそれぞれ連結されている。
【００２８】
以上の構成において、水平搬送位置では、図５に示すように、各係止ピン６１が外方に突出し、基台フレーム４の左右端部に設けられた係止孔６５に差し込まれるため、回動フレーム３が略水平状態でロックされる。一方、図６に示すように、係止解除レバー６２を揺動させると、引っ張り紐６４を介して各係止ピン６１が内方へ引っ張られ、係止孔６５から引き抜かれるため、ロックが解除されるようになっている。
【００２９】
さらに、本実施形態では、傾斜状態で回動フレーム３を固定するための傾斜ロック機構７を有している。具体的には、図２および図７に示すように、回動フレーム３の脚部側に設けられた第１挿通筒７１と、基台フレーム４の下方に設けられた第２挿通筒７２と、これらを連通する傾斜ロックピン７３とを有している。そして、傾斜搬送に適した傾斜角度に回動フレーム３を傾斜させると、図７（ａ）に示すように、第１挿通筒７１と第２挿通筒７２とが連通するように配置されている。本実施形態では、図１１に示すように、傾斜させた寝台フレーム２の上端部および下端部が基台フレーム４からはみ出さない状態で、第１挿通筒７１と第２挿通筒７２とが連通するようになっている。
【００３０】
以上の構成において、傾斜搬送位置では、図７（ｂ）に示すように、第１挿通筒７１と第２挿通筒７２とを連通させた状態で傾斜ロックピン７３を挿入すると、回動フレーム３が基台フレーム４に対して傾斜状態でロックされる。なお、本実施形態において、基台フレーム４には、傾斜ロックピン７３を収容可能なピン入れ７４が設けられている。また、傾斜ロックピン７３を鎖や紐によって基台フレーム４に連結し、紛失し難くしてもよい。
【００３１】
基台フレーム４は、回動フレーム３を回動自在に支持するためのものである。本実施形態において、基台フレーム４は、図１および図２に示すように、ホームエレベータ等の狭いエレベータに収容可能なサイズで略直方体状に形成されており、脚部側はフレームを設けずに開放している。また、回動フレーム３を回動自在に支持する回転支持軸４１は、基台フレーム４の上方における略中央位置において左右端部に架け渡されている。さらに、基台フレーム４の下端部には４つの移動用車輪４２が設けられており、手押し移動可能に構成されている。
【００３２】
なお、本実施形態では、移動用車輪４２として４つのキャスターを用いているが、この構成に限定されるものではなく、安定性を考慮して５つ以上設けてもよい。また、キャスターに限定されるものではなく、回動式ストレッチャー１を移動可能にする車輪であれば、所定の移動用車輪４２を使用してもよい。さらに、本実施形態では、図１および図２に示すように、基台フレーム４と回動フレーム３との間にダンパー４３が設けられており、小さな力でも簡単に回動フレーム３を上下回動させられるようになっている。
【００３３】
つぎに、本実施形態の回動式ストレッチャー１による作用について説明する。
【００３４】
まず、本実施形態の回動式ストレッチャー１を用いて人を通常搬送する場合、必要に応じて寝台フレーム２を回動フレーム３から取り外す。このとき、図４（ａ）に示すように、ロックレバー５３を頭部側へ揺動させると、掛止リング５５が鉤爪５１から外れて、回動フレーム３に対する寝台フレーム２のロックが解除される。そして、寝台フレーム２を頭部側にずらし鉤爪５１を挿通スリット５２から引き抜くと、図８に示すように、寝台フレーム２が回動フレーム３から取り外し可能となる。
【００３５】
これにより、寝台フレーム２を床面に載置できるため、床に敷いた布団に寝たきりの老人等であっても、寝台部２１に載せたり寝台部２１から降ろす作業が容易になる。また、本実施形態では、脱落防止フレーム２５を倒せるため、人をわずかに持ち上げて水平移動させるだけでスムーズに載せ降ろしでき、作業負担がさらに低減する。なお、ベッド等のような高い位置にいる人を乗せる場合には、寝台フレーム２を取り外す必要はない。
【００３６】
寝台部２１に人を載置した後、当該人の下腹部に固定用胴衣２２を着用させるとともに、固定ベルト２４によって胴部や脚部を固定する。これにより、患者の身体的負担が軽減されるとともに、寝台部２１からの脱落が防止され安全が確保される。なお、図面において人は省略している。
【００３７】
つぎに、回動フレーム３が略水平状態でなければ、図６に示すように、係止解除レバー６２を揺動させて係止ピン６１を内方へ退避させる。そして、回動フレーム３を略水平状態に回動させた状態で係止解除レバー６２を放すと、図５に示すように、各係止ピン６１が外方に突出し基台フレーム４の係止孔６５に差し込まれる。これにより、各係止ピン６１が、回動フレーム３の回動を規制し略水平状態に固定する。
【００３８】
つづいて、図１および図９に示すように、略水平状態に固定された回動フレーム３の上部フック３１および下部フック３２のそれぞれに、寝台フレーム２の上部フレーム２７および下部フレーム２８を掛止させると、寝台フレーム２が水平搬送位置にセットされる。この水平搬送位置では、寝台フレーム２が、回動フレーム３および基台フレーム４に対して略中央位置に固定されるため、バランスがよく安定した搬送が可能となる。
【００３９】
また、本実施形態では、図４（ａ）に示すように、寝台フレーム２が水平搬送位置にセットされると、鉤爪５１が挿通スリット５２から突出するため、当該鉤爪５１に掛止リング５５を引っ掛けた状態でロックレバー５３を脚部側に揺動させる。これにより、図４（ｂ）に示すように、掛止リング５５が鉤爪５１を介して上部フレーム２７を引っ張り、上部フック３１に強く当接させた状態を保持する。このため、回動フレーム３に対する寝台フレーム２の位置ずれが防止され、水平搬送位置でロックされる。よって、寝台フレーム２の任意の位置を把持して所望の方向に手押しするたけで、移動用車輪４２によって容易に移動し、通常の搬送が行われる。
【００４０】
つぎに、本実施形態の回動式ストレッチャー１に人を載せたまま、ホームエレベータやトランクのないエレベータ等に収容する場合、まず、ロックレバー５３を用いて回動フレーム３に対する寝台フレーム２のロックを解除し、寝台フレーム２を回動フレーム３から取り外す。
【００４１】
そして、図１０に示すように、回動フレーム３の傾斜用フック３３に、寝台フレーム２の上部フレーム２７を掛止させると、寝台フレーム２が傾斜搬送位置にセットされる。このように、寝台フレーム２を傾斜させることを考慮して、回動フレーム３および基台フレーム４に対して頭部側が突出するように位置をずらすため、寝台フレーム２を所定の傾斜角度まで回動させても、下端部が接地してしまうことがない。
【００４２】
つづいて、係止解除レバー６２を揺動させて係止ピン６１を内方へ退避させると、回動フレーム３の水平状態でのロックが解除される。このため、回動フレーム３は寝台フレーム２とともに回動支持軸周りに回動し、所定の角度に傾斜される。このとき、本実施形態では、ダンパー４３が回動フレーム３の回動動作を補助するため、人を載置したままでも簡単に傾斜させられる。
【００４３】
また、本実施形態では、固定用胴衣２２および吊り下げベルト２３が寝台部２１に載置された人を頭部側から吊り下げるとともに、当該人の足の裏に接触するように足台２１ｂの位置が調整される。このため、寝台部２１を傾斜させても、人の下腹部および足にかかる負担が最小限に抑制されるため、足腰の弱い被介護者や老人等であっても搬送に支障はない。
【００４４】
つぎに、図７（ａ）に示すように、第１挿通筒７１と第２挿通筒７２とが連通するまで回動フレーム３を傾斜させた後、傾斜ロックピン７３を挿入する。これにより、図１１に示すように、寝台フレーム２の上端部および下端部が基台フレーム４からはみ出さない状態で、回動フレーム３の回動がロックされる。このため、回動式ストレッチャー１は、人を載せたままでも、エレベータ等の狭い空間に収容される。
【００４５】
なお、回動式ストレッチャー１を傾斜状態にする必要があるのは、エレベータ等に載っているわずかな間のみである。このため、患者や被介護人へ与える身体的負担や心理的負担は極めて小さい。また、回動式ストレッチャー１をエレベータ等から降ろした後は、回動フレーム３を水平状態に戻してロックするとともに、寝台フレーム２を水平搬送位置でロックする。これにより、回動式ストレッチャー１は、人を寝かせた状態のまま救急車等にも収容される。
【００４６】
以上のような本実施形態によれば、以下のような効果を奏する。
１．人を載せたままでも、エレベータ等の狭い空間に収容することができる。
２．寝台フレーム２を水平搬送位置と傾斜搬送位置との間で簡単に着脱し、搬送作業を迅速化できるとともに、床面にいる人の載せ降ろしも容易に行うことができる。
３．回動フレーム３に対して寝台フレーム２を簡単にロックでき、通常搬送時における寝台フレーム２の位置ズレを防止することができる。
４．回動フレーム３を略水平状態および傾斜状態において簡単にロックすることができ、搬送中の安全性や信頼性を確保することができる。
５．傾斜搬送時には人を吊り下げるように固定するため、足腰への負担が少なく、足腰の弱い被介護者や老人等でも搬送することができる。
【００４７】
なお、本発明に係る回動式ストレッチャー１は、上述した実施形態に限定されるものではなく、適宜変更することができる。
【００４８】
例えば、上述した実施形態では、怪我人、病人および被介護人等を搬送することを想定していたが、これに限定されるものではない。例えば、遺体や遺体を収容した棺等を搬送するストレッチャーとしても使用可能である。
【符号の説明】
【００４９】
１  回動式ストレッチャー
２  寝台フレーム
３  回動フレーム
４  基台フレーム
５  フレームロック機構
６  水平ロック機構
７  傾斜ロック機構
２１  寝台部
２１ａ  枕
２１ｂ  足台
２２  固定用胴衣
２３  吊り下げベルト
２４  固定ベルト
２５  脱落防止フレーム
２６  係止金具
２７  上部フレーム
２８  下部フレーム
３１  上部フック
３２  下部フック
３３  傾斜用フック
４１  回転支持軸
４２  移動用車輪
４３  ダンパー
５１  鉤爪
５２  挿通スリット
５３  ロックレバー
５４  補助フレーム
５５  掛止リング
５６  弾性部材
６１  係止ピン
６２  係止解除レバー
６３  揺動軸
６４  引っ張り紐
６５  係止孔
７１  第１挿通筒
７２  第２挿通筒
７３  傾斜ロックピン
７４  ピン入れ
【図１】
2016129598.tif 000003
【図２】
2016129598.tif 000004
【図３】
2016129598.tif 000005
【図４】
2016129598.tif 000006
【図５】
2016129598.tif 000007
【図６】
2016129598.tif 000008
【図７】
2016129598.tif 000009
【図８】
2016129598.tif 000010
【図９】
2016129598.tif 000011
【図１０】
2016129598.tif 000012
【図１１】
2016129598.tif 000013